(57)【要約】【課題】ユーザ宅でドア開き方向を容易に変更することができるドラム式洗濯機やドラム式乾燥機などの電気機器を提供する。【解決手段】ドラム式洗濯機１では、ヒンジの取付位置となる箇所に本体側ヒンジ用開口３２およびドア側ヒンジ用開口３４を左右対称に設け、ドアロックの取付位置となる箇所に本体側ドアロック用開口４２およびドア側ドアロック用開口４５を左右対称に設けている。ヒンジを設けない側の開口は、本体側ヒンジ用カバー部材３３、ドア側第２ヒンジ用カバー部材３６、本体側第２ドアロック用カバー部材４４およびドア側第２ドアロック用カバー部材４７などのカバー部材で内部を隠すようにしている。【選択図】図３
2020202985.tif 000002
【特許請求の範囲】
【請求項１】
前面に設けられた洗濯物投入口を有する機器本体と前記洗濯物投入口を開閉するドアとを含んで構成され、当該ドアのドア開き方向を変更可能な電気機器であって、
前記ドアは、左右の何れかの一端側で上下２箇所のヒンジによって前記機器本体に対して回動自在に軸支されるものであり、
前記機器本体および前記ドアにおいて、ヒンジの取付位置となる箇所にヒンジ取付用開口が左右に設けられており、
前記ヒンジ取付用開口は、それぞれ上下に分離して設けられていることを特徴とする電気機器。
【請求項２】
請求項１に記載の電気機器であって、
上側の前記ヒンジが前記洗濯物投入口の上端よりも上に位置する構成、および下側の前記ヒンジが前記洗濯物投入口の下端よりも下に位置する構成の少なくとも一方の構成を有することを特徴とする電気機器。
【請求項３】
請求項１または２に記載の電気機器であって、
前記ドアが前記機器本体から開放することを制限するドアロックを備えており、
前記ドアロックは、前記ドアに設けたドアフックと、前記機器本体に設けられ、前記ドアが前記洗濯物投入口を閉鎖した状態において前記ドアフックに対向する位置に配置されるドアロック装置とを有し、
前記機器本体および前記ドアにおいて、前記ドアロックの取付位置となる箇所にドアロック取付用開口が左右に設けられていることを特徴とする電気機器。
【請求項４】
請求項３に記載の電気機器であって、
ヒンジを設けない側の前記ヒンジ取付用開口およびドアロックを設けない側のドアロック取付用開口には、目隠し用カバー部材が取り付けられ、
前記目隠し用カバー部材の少なくとも一部は、左右共通部品とされていることを特徴とする電気機器。
【請求項５】
請求項３または４に記載の電気機器であって、
前記ドアロック装置は、前記機器本体の上部付近に配置される電装回路と配線を介して接続されるものであり、
前記配線には、中間コネクタが設けられていることを特徴とする電気機器。
【請求項６】
請求項５に記載の電気機器であって、
前記機器本体において、前記電装回路と前記配線との接続部分の前方に電装回路前開口が設けられており、
前記ヒンジ取付用開口が、前記配線の配置経路の近傍に設けられていることを特徴とする電気機器。
【請求項７】
請求項５に記載の電気機器であって、
前記電装回路から２本の前記配線が引き出されており、前記機器本体における左右両側のドアロック取付用開口のそれぞれに向けて前記配線が引き回されていることを特徴とする電気機器。
【請求項８】
請求項１から７の何れか１項に記載の電気機器であって、
前記ドアのヒンジ取付用開口に取り付けられる前記目隠し用カバー部材に取っ手が設けられていることを特徴とする電気機器。
【発明の詳細な説明】
【技術分野】
【０００１】
本発明は、ドア開き方向を変更可能なドラム式洗濯機やドラム式乾燥機などの電気機器に関する。
【背景技術】
【０００２】
前開き型のドアを有するドラム式洗濯機では、設置箇所での周囲状況に合わせてドア開き方向（右開き／左開き）が選択される場合がある。このため、ドラム式洗濯機では、通常、右開きおよび左開きの２種類の製品がラインアップされて販売されている（例えば、特許文献１）。
【０００３】
しかしながら、購入時では左開きの製品であったものの、引っ越しなどで設置箇所が変わると右開きが必要になる場合もある。このような場合のために、部品の付け替えや交換などにより、ユーザ宅でもサービスマンがドア開き方向を変更できるようにしたドラム式洗濯機が提案されている（例えば、特許文献２）。
【先行技術文献】
【特許文献】
【０００４】
【特許文献１】特許４４７５３１７号公報
【特許文献２】特開２０１８−７８２７号公報
【発明の概要】
【発明が解決しようとする課題】
【０００５】
特許文献１の技術では、サービスマンがユーザ宅でドア開き方向を変更するような態様を考慮しておらず、大型部品の脱着を伴うため、サービスの提供が困難となる。また、特許文献２の技術では、ヒンジ機構が衣類取出口の外周部に設けられているため、ヒンジ機構の脱着による位置ずれなどで、ドアが衣類取出口に対してずれてしまい、密閉不良を起こすおそれがある。
【０００６】
また、洗濯機では、運転中の安全性確保のためにドアロックが必要となる。ドア開き方向が変更されるのであれば、これに合わせてドアロック位置を変更できるような構造も必要である。特許文献２の技術は、ドアロック構造の変更については考慮しておらず、この点で実用化に適したものとは言えない。
【０００７】
本発明は、上記課題に鑑みてなされたものであり、ユーザ宅でドア開き方向を容易に変更することができるドラム式洗濯機やドラム式乾燥機などの電気機器を提供することを目的とする。
【課題を解決するための手段】
【０００８】
上記の課題を解決するために、本発明は、前面に設けられた洗濯物投入口を有する機器本体と前記洗濯物投入口を開閉するドアとを含んで構成され、当該ドアのドア開き方向を変更可能な電気機器であって、前記ドアは、左右の何れかの一端側で上下２箇所のヒンジによって前記機器本体に対して回動自在に軸支されるものであり、前記機器本体および前記ドアにおいて、ヒンジの取付位置となる箇所にヒンジ取付用開口が左右に設けられており、前記ヒンジ取付用開口は、それぞれ上下に分離して設けられていることを特徴としている。
【発明の効果】
【０００９】
本発明の電気機器は、ユーザ宅でドア開き方向を容易に変更することができる（サービスマンによるドア開き方向変更のサービスの提供が実現できる）といった効果を奏する。
【図面の簡単な説明】
【００１０】
【図１】実施の形態１に係るドラム式洗濯機のドアを閉じた状態の外観を示す斜視図である。
【図２】実施の形態１に係るドラム式洗濯機のドアを開いた状態の外観を示す斜視図である。
【図３】ドアが取り外された状態の洗濯機本体の正面図である。
【図４】取り外されたドアの裏面図である。
【図５】洗濯機本体の内部におけるドアロック装置と電装回路との接続構成を示す模式図である。
【図６】洗濯機本体の内部におけるドアロック装置と電装回路との接続構成を示す模式図である。
【図７】中間コネクタの防水構造を備えた本体側第１ドアロック用カバー部材の裏面図である。
【図８】中間コネクタを保持する保持部の好適例を示す模式図である。
【発明を実施するための形態】
【００１１】
〔実施の形態１〕
以下、本発明の実施の形態について、図面を参照して詳細に説明する。図１は、本実施の形態１に係るドラム式洗濯機１のドア２０を閉じた状態の外観を示す斜視図である。図２は、本実施の形態１に係るドラム式洗濯機１のドア２０を開いた状態の外観を示す斜視図である。尚、ドラム式洗濯機１は、洗濯と乾燥とを行うことができるドラム式洗濯乾燥機と、乾燥を行わず洗濯のみを行うドラム式洗濯機とを総称したものである。また、本発明は、洗濯物投入口を有する機器本体と洗濯物投入口を開閉するドアとを含んで構成される電気機器に適用されるものであるが、このような電気機器は、ドラム式洗濯機以外にドラム式乾燥機をも含むものである。
【００１２】
ドラム式洗濯機１は、大略的には、洗濯機本体（機器本体）１０とドア２０とにより構成されており、洗濯機本体１０はその前面に洗濯物投入口１０１を有している。ドア２０は、洗濯機本体１０の前面を開閉する略矩形形状の前開きドアとして設けられており、ドア２０の内面側にはドア２０の閉鎖時に洗濯物投入口１０１を液密で閉じるための突出閉止部２０１が設けられている。ドラム式洗濯機１におけるドア２０は、ドア開き方向（右開きもしくは左開き）を自在に変更可能なものであるが、図２はドア２０が左開きの状態を示している。尚、以下の説明中における左側および右側は、洗濯機本体１０を正面から見ての左側および右側を示している。
【００１３】
ドア２０は、左右の何れかの一端側で上下２箇所のヒンジによって洗濯機本体１０に対して回動自在に軸支されている。ドア２０を軸支するヒンジは、洗濯機本体１０側に上ヒンジアーム３０Ａおよび下ヒンジアーム３０Ｂ（総称してヒンジアーム３０と呼ぶ場合もある）を固定的に取り付け、このヒンジアーム３０をヒンジ軸受としている。ヒンジアーム３０の先端には、ドア２０に備えられた上ヒンジピン３１Ａおよび下ヒンジピン３１Ｂ（図４参照：総称してヒンジピン３１と呼ぶ場合もある）が挿通させられる。
【００１４】
また、ドラム式洗濯機１において、ヒンジと反対側の端部（ドア開放側端部）付近には、ドラム式洗濯機１のドア２０をロックするためのドアロックが設けられる。このドアロックは、洗濯機本体１０側に設けられるドアロック装置４０と、ドア２０側に設けられるドアフック４１とによって構成される。詳細な図示は省略するが、ドアロック装置４０は、ドア２０の閉鎖状態を保持するためにドアフック４１に係合する係合部と、ドラム式洗濯機１の運転中にドア２０を開けられないようにロックするロック機構とを有する。ロック機構は、アクチュエータなどによって電気的に制御され、ドラム式洗濯機１の運転中にドアフック４１を強固に保持して、ユーザや洗濯中の洗濯物がドア２０を誤って開放しないようにする。さらに、ドア２０において、ヒンジと反対側の端部（ドア開放側端部）には、ドア２０の開放時にユーザが手を掛けるための取っ手５０が設けられている。
【００１５】
ドラム式洗濯機１においてドア２０のドア開き方向を変更するとき、ドア２０を軸支するヒンジの取り付け位置が左右で入れ替えられる。また、ドア開き方向が変更されるとドア開放側端部が左右で入れ替わるため、ドアロック（ドアロック装置４０、ドアフック４１）および取っ手５０も左右で入れ替える必要がある。以下、ドア２０のドア開き方向を変更するためのドラム式洗濯機１の構成、およびドア開き方向を変更するときの作業手順について図３および図４を参照して説明する。
【００１６】
図３は、ドア２０が取り外された状態の洗濯機本体１０の正面図である。図４は、洗濯機本体１０から取り外されたドア２０の裏面図である。尚、図３および図４ともに、ドア開き方向が左開きのものを図示している。
【００１７】
図３に示すように、洗濯機本体１０には、上ヒンジアーム３０Ａおよび下ヒンジアーム３０Ｂが取付けられている。本実施の形態における上ヒンジアーム３０Ａおよび下ヒンジアーム３０Ｂは、ネジなどによって前方から固定および離脱が可能となっている。このため、洗濯機本体１０には、上ヒンジアーム３０Ａおよび下ヒンジアーム３０Ｂを取付固定するためのヒンジ取付部（不図示）が設けられており、上ヒンジアーム３０Ａおよび下ヒンジアーム３０Ｂはヒンジ取付部にネジ止め等で固定される。
【００１８】
また、本実施の形態では、上ヒンジアーム３０Ａは、鉛直方向において、洗濯物投入口１０１よりも上方に位置している。また、下ヒンジアーム３０Ｂは、鉛直方向において、洗濯物投入口１０１よりも下方に位置している。
【００１９】
また、洗濯機本体１０の前面には、上ヒンジアーム３０Ａおよび下ヒンジアーム３０Ｂのそれぞれの取付箇所に、本体側上ヒンジ用開口３２Ａおよび本体側下ヒンジ用開口３２Ｂ（総称して本体側ヒンジ用開口３２と呼ぶ場合もある）が設けられている。本体側ヒンジ用開口３２は、洗濯機本体１０の左右両側に対称に設けられており、ヒンジアーム３０は本体側ヒンジ用開口３２の一方（左開きの場合は左側）において洗濯機本体１０に取り付けられている。
【００２０】
また、ヒンジアーム３０が取り付けられない他方（左開きの場合は右側）の本体側ヒンジ用開口３２には、本体側上ヒンジ用カバー部材３３Ａおよび本体側下ヒンジ用カバー部材３３Ｂ（総称して本体側ヒンジ用カバー部材３３と呼ぶ場合もある）が取り付けられ、本体側ヒンジ用カバー部材３３によって洗濯機本体１０の内部が隠されている。尚、詳細な図示は省略しているが、ヒンジアーム３０が取り付けられる本体側ヒンジ用開口３２においても、ヒンジアーム３０の部分を除いて本体側ヒンジ用開口３２を覆うようなカバー部材が取り付けられていることが好ましい。
【００２１】
また、洗濯機本体１０の前面において、洗濯物投入口１０１の左右両側には本体側ドアロック用開口４２が対称に設けられ、ドアロック装置４０は本体側ドアロック用開口４２の一方（左開きの場合は右側）の内部に配置されている。また、ドアロック装置４０が配置される本体側ドアロック用開口４２には、本体側第１ドアロック用カバー部材４３が取り付けられている。本体側第１ドアロック用カバー部材４３には開口部４３１が形成されており、開口部４３１からドアロック装置４０におけるドアフック挿入口４０１が露出している。さらに、ドアロック装置４０が配置されていない本体側ドアロック用開口４２には、本体側第２ドアロック用カバー部材４４が取り付けられ、本体側第２ドアロック用カバー部材４４によって洗濯機本体１０の内部が隠されている。
【００２２】
一方、図４に示すように、ドア２０の裏面においては、上ヒンジピン３１Ａおよび下ヒンジピン３１Ｂのそれぞれの配置箇所に、ドア側上ヒンジ用開口３４Ａおよびドア側下ヒンジ用開口３４Ｂ（総称してドア側ヒンジ用開口３４と呼ぶ場合もある）が設けられている。ドア側ヒンジ用開口３４は、ドア２０の左右両側に対称に設けられている。
【００２３】
ヒンジアーム３０が取り付けられる一方（左開きの場合は右側）のドア側ヒンジ用開口３４では、ドア側上ヒンジ用開口３４Ａにドア側第１上ヒンジ用カバー部材３５Ａが取り付けられ、ドア側下ヒンジ用開口３４Ｂにドア側第１下ヒンジ用カバー部材３５Ｂが取り付けられる（ドア側第１上ヒンジ用カバー部材３５Ａおよびドア側第１下ヒンジ用カバー部材３５Ｂを、総称してドア側第１ヒンジ用カバー部材３５と呼ぶ場合もある）。ドア側第１上ヒンジ用カバー部材３５Ａには開口部３５１が形成されており、上ヒンジアーム３０Ａの先端をドア側上ヒンジ用開口３４Ａに通して、上ヒンジピン３１Ａに挿通した後に、開口部３５１に上ヒンジアーム３０Ａを通すようにしてドア側第１上ヒンジ用カバー部材３５Ａをドア側上ヒンジ用開口３４Ａに固定する。また、ドア側第１下ヒンジ用カバー部材３５Ｂには切欠部３５２が形成されており、ドア側下ヒンジ用開口３４Ｂに下ヒンジアーム３０Ｂの先端を通して下ヒンジアーム３０Ｂを下ヒンジピン３１Ｂに挿通した後に、切欠部３５２に下ヒンジアーム３０Ｂを通すようにしてドア側第１下ヒンジ用カバー部材３５Ｂをドア側下ヒンジ用開口３４Ｂに固定する。これにより、ドア２０の上方への移動が規制され、ドアが上方へ抜けることがなくなる。
【００２４】
ヒンジアーム３０が取り付けられない他方（左開きの場合は右側）のドア側ヒンジ用開口３４には、ドア側第２上ヒンジ用カバー部材３６Ａおよびドア側第２下ヒンジ用カバー部材３６Ｂ（総称してドア側第２ヒンジ用カバー部材３６と呼ぶ場合もある）が取り付けられ、ドア側第２ヒンジ用カバー部材３６によってドア２０の内部が隠されている。また、ドア側第２上ヒンジ用カバー部材３６Ａには、取っ手５０が形成されている。
【００２５】
また、ドア２０の裏面において、突出閉止部２０１の左右両側にはドア側ドアロック用開口４５が対称に設けられ、ドアロック装置４０と対向する一方のドア側ドアロック用開口４５にはドア側第１ドアロック用カバー部材４６が取り付けられている。ドア側ドアロック用開口４５内にはドアフック４１を固定するドアフック固定具（不図示）が設けられており、ドア側第１ドアロック用カバー部材４６には、ドアフック４１を挿通する開口が設けられている。さらに、ドアロック装置４０と対向しない他方のドア側ドアロック用開口４５には、ドア側第２ドアロック用カバー部材４７が取り付けられ、ドア側第２ドアロック用カバー部材４７によってドアフック固定具などのドア２０の内部が隠されている。
【００２６】
ドア２０の開き方向を変更するに当たっては、最初にドア２０を洗濯機本体１０から取り外す。ドア２０を洗濯機本体１０から取り外すときは、ドア側第１上ヒンジ用カバー部材３５Ａおよびドア側第１下ヒンジ用カバー部材３５Ｂをドア側上ヒンジ用開口３４Ａおよびドア側下ヒンジ用開口３４Ｂから取り外す。これにより、ドア側ヒンジ用開口３４内においてヒンジピン３１が完全に露出し、ドア２０を上方に持ち上げればヒンジアーム３０とヒンジピン３１との係合が外れるため、ドア２０を洗濯機本体１０から取り外すことができる。尚、ドア側第１上ヒンジ用カバー部材３５Ａおよびドア側第１下ヒンジ用カバー部材３５Ｂを取り外さなければ、ドア２０を持ち上げることができず、ヒンジアーム３０とヒンジピン３１との係合を外すこともできない。
【００２７】
ドア２０を外した後、洗濯機本体１０では、ヒンジアーム３０の位置交換のために、ヒンジアーム３０と本体側ヒンジ用カバー部材３３とを取り外す。これらは、洗濯機本体１０にビスなどで取り付けられているため、ビスを外すことで取り外し可能である。
【００２８】
本実施の形態１に係るドラム式洗濯機１では、ヒンジアーム３０および本体側ヒンジ用カバー部材３３は左右別部品として使用されるものである。このため、ヒンジアーム３０および本体側ヒンジ用カバー部材３３のそれぞれを左右別部品に交換し、交換した部品を用いてヒンジアーム３０および本体側ヒンジ用カバー部材３３の左右付け替えを行う。尚、交換する部品は、ドア開き方向の変更作業を行うサービスマンが持ってきてもよく、また、ユーザが別途入手・所有してもよい。
【００２９】
また、ドアロックに関しては、本体側第１ドアロック用カバー部材４３および本体側第２ドアロック用カバー部材４４を取り外し、さらに、ドアロック装置４０を取り外す。これらも、ビスを外すことで洗濯機本体１０から容易に取り外し可能である。外したドアロック装置４０は、取り付け位置を左右入れ替えて（このとき、ドアロック装置４０の上下方向を逆にする）、再び洗濯機本体１０に取り付けられる。尚、ドアロック装置４０の付け替えに関しては、後述する実施の形態２，３でより詳細な説明を行う。
【００３０】
本実施の形態１に係るドラム式洗濯機１では、本体側第１ドアロック用カバー部材４３および本体側第２ドアロック用カバー部材４４は左右共通部品として使用されるものである。尚、本体側第１ドアロック用カバー部材４３および本体側第２ドアロック用カバー部材４４は、単独では点対称形状ではないが、互いの外径形状が同じであるため、両方を入れ替えるときには左右共通化することができる。このため、本体側第１ドアロック用カバー部材４３および本体側第２ドアロック用カバー部材４４は、別部品に交換する必要はなく、それぞれを１８０度回転させる（上下反転させる）ことで左右付け替えを行う。尚、本体側第１ドアロック用カバー部材４３および本体側第２ドアロック用カバー部材４４についても本体側ヒンジ用カバー部材３３と同様に、左右共通ではなく別部品とし、サービスマンが交換時に対応部品を持ってきて対応する形としてもよい。
【００３１】
一方、洗濯機本体１０から取り外されたドア２０では、ドア側第２ヒンジ用カバー部材３６、ドア側第１ドアロック用カバー部材４６およびドア側第２ドアロック用カバー部材４７が取り外される（ドア側第１上ヒンジ用カバー部材３５Ａおよびドア側第１下ヒンジ用カバー部材３５Ｂについては、ドア２０を外す際に既に取り外されている）。ドア側第１ヒンジ用カバー部材３５およびドア側第２ヒンジ用カバー部材３６が取り外された後は、ヒンジピン３１の左右付け替えを行う。本実施の形態では、ドア側のヒンジピンやカバー部材も本体側と同様に左右別部品とし、別部品を持参したサービスマンにより付け替えを行うが、左右共通部品とすればより簡便にすることも可能である。
【００３２】
また、ドア２０側のドアロックに関しては、ドア側第１ドアロック用カバー部材４６とドア側第２ドアロック用カバー部材４７を付け替えることにより、ドア２０のドアフック４１の位置を変更できる。さらに、ドア側第２上ヒンジ用カバー部材３６Ａには取っ手５０が設けられているため、ドア側第１上ヒンジ用カバー部材３５Ａとドア側第２上ヒンジ用カバー部材３６Ａとの左右付け替えにより、取っ手５０の位置を変更できる。
【００３３】
ドア側第１上ヒンジ用カバー部材３５Ａおよびドア側第１下ヒンジ用カバー部材３５Ｂ以外のカバー部材が取り付けられたドア２０は、再び洗濯機本体１０に取り付けられる。このとき、ドア側上ヒンジ用開口３４Ａおよびドア側下ヒンジ用開口３４Ｂにヒンジアーム３０の先端を挿入し、ヒンジアーム３０の先端にヒンジピン３１を上から差し込むようにしてドア２０が取り付けられる。ドア２０を洗濯機本体１０に取り付けた後は、最後にドア側第１上ヒンジ用カバー部材３５Ａおよびドア側第１下ヒンジ用カバー部材３５Ｂを取り付けることで、ドア開き方向の変更作業が終了する。
【００３４】
尚、上記説明において例示したドラム式洗濯機１では、ドア開き方向を変更する際に交換が必要な左右別部品とした各種部品も、その形状を工夫することで、左右共通部品とすることが可能である。言いかえれば、左右対称に設けられた開口を覆うカバー部材は、これら全てを左右共通部品とすることも可能であるが、例えばデザイン的な理由などから一部のカバー部材は左右別部品とされていてもよい。
【００３５】
以上のように、本実施の形態１に係るドラム式洗濯機１では、ヒンジの取付位置となる箇所に、本体側ヒンジ用開口３２およびドア側ヒンジ用開口３４（ヒンジ取付用開口）を左右対称に設け、ヒンジを設けない側のヒンジ取付用開口は本体側ヒンジ用カバー部材３３およびドア側第２ヒンジ用カバー部材３６（目隠し用カバー部材）で内部を隠すようにしている。
【００３６】
また、ヒンジ取付用開口はそれぞれ上下に分離して設けられている。このように、ヒンジ取付用開口をそれぞれ上下に分離して設けたことで、これらの開口自身が面積の小さなものとなり、洗濯機本体１０の前面に大きな開口を設けなくてもよくなるため、洗濯機本体１０の前面の強度および意匠性が向上できる。このようなドラム式洗濯機１では、洗濯機本体１０の前面を形成するパネル部品やドア２０そのものなどの大型部品は、ドア開き方向に関わらず部品を共通化することができる。これにより、サービスマンがユーザ宅でドア開き方向を変更するような場合に、大きな交換部品を持ってくる必要はなく、ドア開き方向を変更するサービスが提供しやすくなる（このようなサービスが実現可能となる）。
【００３７】
また、ヒンジ取付用開口をそれぞれ上下に分離して設けたことで、洗濯機本体１０の前面の強度および意匠性を犠牲にせずに上下のヒンジ間の距離を長く設定することが可能となり、ヒンジの脱着による位置ずれが発生したとしても、ドアと洗濯機本体との位置ずれを小さくできるため、ドアの密閉不良を抑制できる。加えて、ヒンジ取付用開口の目隠し用カバー部材を小型化することができる。
【００３８】
これにより、サービスマンがユーザ宅でドア開き方向を変更するような場合に、大きな交換部品を持ってくる必要はなく、ドア開き方向を変更するサービスが提供しやすくなる。
【００３９】
また、ユーザ宅でドア開き方向を変更するような場合には、十分に広い作業スペースが確保できないことも想定される。このような場合でも、取り外し必要な部品が小型化されていれば、狭いスペースでの作業が容易となる。
【００４０】
また、ヒンジ取付用開口およびドアロック取付用開口を左右対称に設けることで、目隠し用カバー部材を左右共通部品としやすくなるため、左右共通部品を増やすことでドア開き方向を変更する際の交換部品を少なくでき、コスト面でも有利となる。
【００４１】
また、本実施の形態１に係るドラム式洗濯機１では、上ヒンジアーム３０Ａは、鉛直方向において、洗濯物投入口１０１よりも上方に位置している。また、下ヒンジアーム３０Ｂは、鉛直方向において、洗濯物投入口１０１よりも下方に位置している。このため、鉛直方向において洗濯物投入口１０１を挟んで上ヒンジアーム３０Ａと下ヒンジアーム３０Ｂとを配置することができ、上ヒンジアーム３０Ａおよび下ヒンジアーム３０Ｂの脱着によってヒンジアーム位置が若干ずれた場合であっても、ドア２０の閉鎖時の洗濯物投入口１０１に対するドア２０の突出閉止部２０１の位置ずれを最小限に留めることができる。さらに、上ヒンジアーム３０Ａと下ヒンジアーム３０Ｂとの距離を大きくすることができるので、上ヒンジアーム３０Ａおよび下ヒンジアーム３０Ｂの脱着によるヒンジアームの位置ずれ量に対して、ドア２０の閉鎖時の洗濯物投入口１０１に対するドア２０の突出閉止部２０１の位置ずれ量を最小限に留めることができる。
【００４２】
また、上ヒンジアーム３０Ａおよび下ヒンジアーム３０Ｂは、鉛直方向において洗濯物投入口１０１に重ならないように配置できるため、洗濯機本体１０の左右に設けた上ヒンジアーム３０Ａまたは下ヒンジアーム３０Ｂを固定するためのヒンジ取付部同士を、洗濯機本体１０の左右に渡って橋渡しされた補強部材に設けることができる。従って、洗濯物投入口１０１に干渉せずにヒンジ取付部の強度を向上することができる。尚、上ヒンジアーム３０Ａが鉛直方向において洗濯物投入口１０１よりも上方に位置する構成、および、下ヒンジアーム３０Ｂが鉛直方向において洗濯物投入口１０１よりも下方に位置する構成の少なくとも一方の構成が実施されていてもよい。
【００４３】
〔実施の形態２〕
本実施の形態２では、ドアロック装置４０の付け替えをより簡単にするための一構成例について図５を参照して説明する。図５は、洗濯機本体１０の内部におけるドアロック装置４０と電装回路６０との接続構成を示す模式図である。
【００４４】
洗濯機本体１０の内部には、ドアロック装置４０と配線６１を介して接続された電装回路６０が備えられており、ドアロック装置４０のロック機構は電装回路６０によって制御される。また、配線６１の途中には中間コネクタ６２が設けられている。
【００４５】
本実施の形態２に係るドラム式洗濯機１では、電装回路６０は洗濯機本体１０における上部中央付近に配置されており、配線６１は電装回路６０の中央付近（すなわち洗濯機本体１０の幅方向中央付近）から下方に延設されている。また、本実施の形態２に係る洗濯機本体１０は、本体側ヒンジ用開口３２および本体側ドアロック用開口４２以外に、電装回路前開口６３を有している。通常、電装回路前開口６３にはカバー部材（図示省略）が取り付けられているが、電装回路前開口６３におけるカバー部材を外したときには電装回路６０と配線６１との接続部分が露出する。尚、図５は、本体側ヒンジ用開口３２および本体側ドアロック用開口４２からは本体側ヒンジ用カバー部材３３、ドア側第１ドアロック用カバー部材４６およびドア側第２ドアロック用カバー部材４７が取り外され、かつ、電装回路前開口６３からもカバー部材が取り外された状態を示している。また、本体側ヒンジ用開口３２においては、ヒンジアーム３０も取り外されているものとする。
【００４６】
ドアロック装置４０の取付位置を変更する作業においては、図５に示す状態から、最初に中間コネクタ６２のコネクタ接続を解除する。この解除作業は、本体側ドアロック用開口４２内で行うことができる。そして、中間コネクタ６２の解除により、ドアロック装置４０を洗濯機本体１０から一旦外し、取り付け箇所を左右入れ替えて付け替えることが可能となる。
【００４７】
中間コネクタ６２を外された配線６１は、作業者（例えばサービスマン）が電装回路前開口６３に手（もしくは指）を入れて配線６１を引き出し、さらに、左右方向を入れ替えて洗濯機本体１０内に配線６１を引き回すことができる。その後、取り付け箇所を左右入れ替えられたドアロック装置４０に対して中間コネクタ６２を再度接続し、ドアロック装置４０の付け替え作業が完成する。
【００４８】
尚、作業者による上記作業が容易に行えるように、配線６１の配置経路は本体側ヒンジ用開口３２の近傍を通るものとされている。また、電装回路前開口６３および本体側ヒンジ用開口３２は、作業者による上記作業が容易に行える程度の面積を有していることが望ましい。尚、本体側ヒンジ用開口３２がある程度の面積を有しているなど、本体側ヒンジ用開口３２からの作業だけで配線６１の左右入れ替え作業が可能であれば、電装回路前開口６３およびカバー部材は設けなくてもよい。この場合は、作業者（例えばサービスマン）が本体側ヒンジ用開口３２に手指や治具を入れて、配線６１を手繰り寄せるようにすればよい。
【００４９】
尚、本構成では、ドアロック装置４の付け替え時には、ドアロック装置４０の上下方向が逆にされる。すなわち、図５の構成では、ドアロック装置４０と配線６１との接続箇所はドアロック装置４０の上側にあるが、ドアロック装置４０の上下方向が逆になると下側となる。このため、ドアロック装置４０と配線６１との接続箇所がドアロック装置４０の下側にある場合、必要な配線６１の長さは上側にある場合と比べて長くなる。このため、実際の配線６１は、ドアロック装置４０の上下逆転にも対応できる十分な長さを有しているものとする（図５では、図の簡略化のため配線６１を短めに記載している）。
【００５０】
以上のように、本実施の形態２に係るドラム式洗濯機１では、電装回路６０とドアロック装置４０とを繋ぐ配線６１に中間コネクタ６２が設けられている。このため、中間コネクタ６２のコネクタ接続を解除することで、ドアロック装置４０の取付位置を変更する作業を、配線６１との接続を無くした状態で容易に行うことができる。
【００５１】
また、電装回路６０は洗濯機本体１０における上部付近に配置されており、電装回路６０とドアロック装置４０とを繋ぐ配線６１の配置経路付近には、複数の開口（電装回路前開口６３、本体側ヒンジ用開口３２および本体側ドアロック用開口４２）が設けられている。このため、洗濯機本体１０内での配線６１の引き回し作業を、これら複数の開口を介して行うことができる。それぞれの開口は面積の小さなものとすることができ、これらの開口に取り付けられるカバー部材も小型化することができる。すなわち、配線６１の引き回し作業のために、洗濯機本体１０の前面を覆う大きなパネル部材（前板やリング飾り）などを取り外す必要がなく、大きなパネル部材などを交換部品として用意する必要もなくなる。
【００５２】
〔実施の形態３〕
本実施の形態３では、ドアロック装置４０の付け替えをより簡単にするための他の構成例について図６を参照して説明する。図６は、洗濯機本体１０の内部におけるドアロック装置４０と電装回路６０との接続構成を示す模式図である。
【００５３】
図６に示す洗濯機本体１０では、電装回路６０から２本の配線６１（配線６１Ａおよび６１Ｂ）が引き出されており、一方の配線（例えば配線６１Ａ）が右側の本体側ドアロック用開口４２に向かって引き回され、他方の配線（例えば配線６１Ｂ）が左側の本体側ドアロック用開口４２に向かって引き回されている。尚、“電装回路６０から２本の配線６１が引き出されている”とは、電装回路６０から引き出された１本の配線６１が、途中で２本の配線６１Ａおよび６１Ｂに分岐される構成をも含むものとする。
【００５４】
配線６１Ａおよび６１Ｂのそれぞれの先端には、中間コネクタ６２における回路側コネクタ６２１が接続されている。また、ドアロック装置４０側の配線６１の先端には、中間コネクタ６２におけるドアロック側コネクタ６２２が接続されている。
【００５５】
ドアロック装置４０の取付位置を変更する作業においては、図６に示す状態から、最初に中間コネクタ６２（右側の回路側コネクタ６２１およびドアロック側コネクタ６２２）のコネクタ接続を解除する。この解除作業は、本体側ドアロック用開口４２内で行うことができる。そして、中間コネクタ６２の解除により、ドアロック装置４０を洗濯機本体１０から一旦外し、取り付け箇所を左右入れ替えて付け替えることが可能となる。そして、取り付け箇所を左右入れ替えられたドアロック装置４０に対して中間コネクタ６２（左側の回路側コネクタ６２１およびドアロック側コネクタ６２２）を再度接続し、ドアロック装置４０の付け替え作業が完成する。尚、ドアロック装置４０が接続されない側の配線６１では、回路側コネクタ６２１を保護するための保護キャップ６４を被せるようにしてもよい。
【００５６】
以上のように、本実施の形態３に係るドラム式洗濯機１では、電装回路６０から引き出される配線６１を２本とし、左右両側の本体側ドアロック用開口４２に向けて予め配線６１を引き回しておくことで、配線６１の引き回し方向を変更する作業が省略できる。その結果、ドアロック装置４０の取付位置を変更する作業を、より簡単に行うことができる。
【００５７】
〔実施の形態４〕
実施の形態２，３に係る洗濯機本体１０では、ドアロック装置４０の付け替え作業を簡単なものとするために、電装回路６０とドアロック装置４０とを繋ぐ配線６１に中間コネクタ６２を設けた構成としている。この場合、中間コネクタ６２に水が掛かることがないように、中間コネクタ６２に対して防水対策を取る必要がある。
【００５８】
中間コネクタ６２の防水対策としては、中間コネクタ６２とその両端の配線６１とを防水シートなどで包み、中間コネクタ６２の両端で防水シートをテープや紐などで縛って閉じることが考えられる。しかしながら、本実施の形態４では、中間コネクタ６２の他の好適な防水構造について図７を参照して説明する。図７は、中間コネクタ６２の防水構造を備えた本体側第１ドアロック用カバー部材４３の裏面図である。
【００５９】
図７に示すように、本体側第１ドアロック用カバー部材４３の裏面には、中間コネクタ６２の保持部７０が設けられている。保持部７０は、互いに平行となるように上下方向（鉛直方向）に対向配置された２枚の板状のリブ部材７１および７２によって構成されており、これらの２枚のリブ部材７１および７２の間に中間コネクタ６２を狭持するようにして保持することができる。尚、図７ではドアロック装置４０の図示を省略しているため、図示された中間コネクタ６２は回路側コネクタ６２１のみとされている（実際には回路側コネクタ６２１とドアロック側コネクタ６２２とが接続された状態で中間コネクタ６２が保持される）。また、リブ部材７１および７２の何れか一方（図７ではリブ部材７２）には、中間コネクタ６２を確実に保持するための保持爪７３が設けられていてもよい。
【００６０】
リブ部材７１および７２は、平面視において中間コネクタ６２よりも広い面積を有するものとされており、保持部７０に保持される中間コネクタ６２は、その上面がリブ部材７１または７２によって完全に覆われる。すなわち、中間コネクタ６２を保持部７０に保持させることで、リブ部材７１または７２が中間コネクタ６２に対する庇となり、中間コネクタ６２に上方から水が掛かることを防止できる。
【００６１】
尚、上記説明では、保持部７０を本体側第１ドアロック用カバー部材４３の裏面に設ける場合を例示したが、本発明はこれに限定されるものではない。例えば、ドアロック装置４０は洗濯機本体１０内のフレーム部材にビスなどを用いて固定されるが、保持部７０は、ドアロック装置４０と同じフレーム部材において設けられていてもよい。但し、フレーム部材の表面側はドア２０の上方の隙間などから浸入した水が伝いやすいため、保持部７０をフレーム部材に設けた場合は、浸入した水がフレーム部材および保持部７０の庇を伝って中間コネクタ６２に到達するおそれもある。このため、本体側第１ドアロック用カバー部材４３がフレーム部材と離間して配置されている場合は、保持部７０を本体側第１ドアロック用カバー部材４３の裏面に設ける方がより好ましい。このとき、保持部７０もフレーム部材と離間していることが好ましい。
【００６２】
また、中間コネクタ６２を保持部７０で保持する本構成では、図８に示すように、配線６１の長さに余裕を持たせ、中間コネクタ６２から左右に延びる配線６１を下方で弛ませるようにすることが好ましい。このように、配線６１に弛み部分を設けることで、配線６１をつたって流れる水が中間コネクタ６２に到達することも防止できる。尚、この場合、保持部７０の下方近傍に突起状の係止部７４を設け、係止部７４に配線６１を引っ掛けることで、配線６１に確実に弛み部分が設けられるようにしてもよい。
【００６３】
また、上記説明では、保持部７０を本体側第１ドアロック用カバー部材４３の裏面に設けることを説明したが、実施の形態３に係る洗濯機本体１０において保持部７０を設ける場合には、本体側第２ドアロック用カバー部材４４にも保持部７０を設けることが好ましい。この場合は、ドアロック装置４０が接続されない側の配線６１においても、本体側第２ドアロック用カバー部材４４に設けられた保持部７０によって回路側コネクタ６２１を保持することができる。
【００６４】
以上のように、本実施の形態に係るドラム式洗濯機は、前面に設けられた洗濯物投入口を有する洗濯機本体と前記洗濯物投入口を開閉するドアとを含んで構成され、当該ドアのドア開き方向を変更可能なドラム式洗濯機であって、前記ドアは、左右の何れかの一端側で上下２箇所のヒンジによって前記洗濯機本体に対して回動自在に軸支されるものであり、前記洗濯機本体および前記ドアにおいて、ヒンジの取付位置となる箇所にヒンジ取付用開口が左右に設けられており、前記ヒンジ取付用開口は、それぞれ上下に分離して設けられていることを特徴としている。
【００６５】
上記の構成によれば、左右のヒンジ取付用開口をそれぞれ上下に分離して設けたことで、これらの開口自身が面積の小さなものとなり、洗濯機本体の前面やドアの背面に大きな開口を設けなくてもよくなるため、洗濯機本体の前面の強度および意匠性が向上できる。また、洗濯機本体の前面を形成するパネル部品やドアそのものなどの大型部品は、ドア開き方向に関わらず部品を共通化することができる。これにより、サービスマンがユーザ宅でドア開き方向を変更するような場合に、大きな交換部品を持ってくる必要はなく、ドア開き方向を変更するサービスが提供しやすくなる（このようなサービスが実現可能となる）。
【００６６】
また、上記ドラム式洗濯機では、上側の前記ヒンジが前記洗濯物投入口の上端よりも上に位置する構成、および下側の前記ヒンジが前記洗濯物投入口の下端よりも下に位置する構成の少なくとも一方の構成を有する構成とすることができる。
【００６７】
上記の構成によれば、上側のヒンジと下側のヒンジとの距離を大きくすることができるため、ヒンジの脱着による位置ずれが発生したとしても、ドアと洗濯機本体との位置ずれを小さくできるため、ドアの密閉不良を抑制できる。また、洗濯機本体のヒンジ取付部が上下方向において洗濯物投入口と重ならないようにできるため、左右のヒンジ取付部を橋渡しする補強部材を設けることが可能となり、ヒンジ取付部の強度を向上することができる。
【００６８】
また、上記ドラム式洗濯機では、前記ドアが前記洗濯機本体から開放することを制限するドアロックを備えており、前記ドアロックは、前記ドアに設けたドアフックと、前記洗濯機本体に設けられ、前記ドアが前記洗濯物投入口を閉鎖した状態において前記ドアフックに対向する位置に配置されるドアロック装置とを有し、前記洗濯機本体および前記ドアにおいて、前記ドアロックの取付位置となる箇所にドアロック取付用開口が左右に設けられている構成とすることができる。
【００６９】
また、上記ドラム式洗濯機では、ヒンジを設けない側の前記ヒンジ取付用開口およびドアロックを設けない側のドアロック取付用開口には、目隠し用カバー部材が取り付けられ、前記目隠し用カバー部材の少なくとも一部は、左右共通部品とされている構成とすることができる。
【００７０】
上記の構成によれば、ヒンジ取付用開口およびドアロック取付用開口に取り付けられる目隠し用カバー部材の少なくとも一部を左右共通部品とすることで、ドア開き方向を変更する際の交換部品を少なくでき、コスト面でも有利となる。
【００７１】
また、上記ドラム式洗濯機では、前記ドアロック装置は、前記洗濯機本体の上部付近に配置される電装回路と配線を介して接続されるものであり、前記配線には、中間コネクタが設けられている
上記の構成によれば、電装回路とドアロック装置とを繋ぐ配線に中間コネクタが設けられているため、中間コネクタのコネクタ接続を解除することで、ドアロック装置の取付位置を変更する作業を、配線との接続を無くした状態で容易に行うことができる。
【００７２】
また、上記ドラム式洗濯機では、前記洗濯機本体において、前記電装回路と前記配線との接続部分の前方に電装回路前開口が設けられており、前記ヒンジ取付用開口が、前記配線の配置経路の近傍に設けられている構成とすることができる。
【００７３】
上記の構成によれば、電装回路とドアロック装置とを繋ぐ配線の配置経路付近に、複数の開口（電装回路前開口、ヒンジ取付用開口およびドアロック取付用開口）が設けられることになる。このため、洗濯機本体内での配線の引き回し作業を、これら複数の開口を介して容易に行うことができる。
【００７４】
また、上記ドラム式洗濯機では、前記電装回路から２本の前記配線が引き出されており、前記洗濯機本体における左右両側のドアロック取付用開口のそれぞれに向けて前記配線が引き回されている構成とすることができる。
【００７５】
上記の構成によれば、左右両側のドアロック取付用開口のそれぞれに向けて予め配線を引き回しておくことで、配線の引き回し方向を変更する作業が省略できる。その結果、ドアロック装置の取付位置を変更する作業を、より簡単に行うことができる。
【００７６】
また、上記ドラム式洗濯機は、前記ドアのヒンジ取付用開口に取り付けられる前記目隠し用カバー部材に取っ手が設けられている構成とすることができる。
【００７７】
上記の構成によれば、ドアのヒンジ取付用開口に取り付けられる目隠し用カバー部材の位置を変更する作業によって、同時に取っ手の位置を変更することができる
今回開示した実施形態は全ての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味および範囲内での全ての変更が含まれる。
【符号の説明】
【００７８】
１    ドラム式洗濯機（電気機器）
１０    洗濯機本体（機器本体）
１０１    洗濯物投入口
２０    ドア
２０１    突出閉止部
３０Ａ    上ヒンジアーム
３０Ｂ    下ヒンジアーム
３１Ａ    上ヒンジピン
３１Ｂ    下ヒンジピン
３２Ａ    本体側上ヒンジ用開口（ヒンジ取付用開口）
３２Ｂ    本体側下ヒンジ用開口（ヒンジ取付用開口）
３３Ａ    本体側上ヒンジ用カバー部材（目隠し用カバー部材）
３３Ｂ    本体側下ヒンジ用カバー部材（目隠し用カバー部材）
３４Ａ    ドア側上ヒンジ用開口（ヒンジ取付用開口）
３４Ｂ    ドア側下ヒンジ用開口（ヒンジ取付用開口）
３５Ａ    ドア側第１上ヒンジ用カバー部材
３５Ｂ    ドア側第１下ヒンジ用カバー部材
３６Ａ    ドア側第２上ヒンジ用カバー部材（目隠し用カバー部材）
３６Ｂ    ドア側第２下ヒンジ用カバー部材（目隠し用カバー部材）
４０    ドアロック装置（ドアロック）
４１    ドアフック（ドアロック）
４２    本体側ドアロック用開口（ドアロック取付用開口）
４３    本体側第１ドアロック用カバー部材
４４    本体側第２ドアロック用カバー部材（目隠し用カバー部材）
４５    ドア側ドアロック用開口（ドアロック取付用開口）
４６    ドア側第１ドアロック用カバー部材
４７    ドア側第２ドアロック用カバー部材（目隠し用カバー部材）
５０    取っ手
６０    電装回路
６１    配線
６２    中間コネクタ
６２１    回路側コネクタ
６２２    ドアロック側コネクタ
６３    電装回路前開口
７０    保持部
７１，７２    リブ部材
【図１】
2020202985.tif 000003
【図２】
2020202985.tif 000004
【図３】
2020202985.tif 000005
【図４】
2020202985.tif 000006
【図５】
2020202985.tif 000007
【図６】
2020202985.tif 000008
【図７】
2020202985.tif 000009
【図８】
2020202985.tif 000010